(57)【要約】リストバンド、ブレスレット、パッチ、ヘッドバンド、ネックレス、カード、ステッカー、またはその他の着用器具のような、識別器具（１０）は、改良型パッチまたはマイクロストリップ・アンテナ（３０）を有する。マイクロストリップ・アンテナは、導電性パッチ層（２２）、導電性グラウンド層（２４）、及び導電性層間に絶縁体層（２６）を備えている。マイクロストリップ・アンテナは、好ましくはグラウンド層がユーザに最も近くかつパッチ層がユーザから最も遠いような、識別器具に取り付けられるかまたはその中に配置される。電子回路（３２）は、絶縁体層の中に、または導電性層の面上に、または識別器具の別の部分の上に配置されうる。絶縁体層を通る接続穴（４０）は、回路を導電性層に接続させる。この改良型アンテナは、離調及び通信劣化問題を解決する。
2005519557.tif 000002
【特許請求の範囲】
【請求項１】
別の装置と通信するように構成された無線識別バンドであって、
人に装着されるかまたは取り付けられるように構成された構造体であり、該構造体は、第１の面及び第２の面を有し、該第２の面は、前記構造体が前記人に装着されるかまたは取り付けられる場合に該第１の面よりも人に近く配置される、該構造体と、
前記人に関連付けられたデータを記憶するように構成されたデータ記憶装置と、
前記構造体の上またはその中に配置されたマイクロストリップ・アンテナと、及び
前記マイクロストリップ・アンテナに接続され、前記装置と該マイクロストリップ・アンテナを通して通信するように構成された制御回路と
を備えている無線識別バンド。
【請求項２】
前記マイクロストリップ・アンテナは、導電性パッチ層、導電性グラウンド層、及び該パッチ層と該グラウンド層との間に配置された絶縁体材を備え、前記グラウンド層は、前記構造体が前記人に装着されるかまたは取り付けられる場合に前記パッチ層よりも人に近く配置される請求項１に記載の無線識別バンド。
【請求項３】
前記マイクロストリップ・アンテナは、フレキシブルである請求項１に記載の無線識別バンド。
【請求項４】
前記絶縁体材は、フレキシブルである請求項２に記載の無線識別バンド。
【請求項５】
前記マイクロストリップ・アンテナは、前記人に装着されるように曲げられるかまたは外形に合わせて作られる請求項１に記載の無線識別バンド。
【請求項６】
前記制御回路は、通信回路を含む請求項１に記載の無線識別バンド。
【請求項７】
前記制御回路は、前記絶縁体材上に配置される請求項２に記載の無線識別バンド。
【請求項８】
前記制御回路は、前記絶縁体材の中に配置される請求項２に記載の無線識別バンド。
【請求項９】
前記制御回路は、前記絶縁材の内側にある前記パッチ層の面上に配置される請求項８に記載の無線識別バンド。
【請求項１０】
前記制御回路は、前記絶縁材の内側にある前記グラウンド層の面上に配置される請求項８に記載の無線識別バンド。
【請求項１１】
前記制御回路は、前記絶縁材の内側ではない前記グラウンド層の面上に配置される請求項８に記載の無線識別バンド。
【請求項１２】
前記制御回路から前記絶縁体材を通して前記パッチ層まで拡張している電気カプラーを更に備えている請求項１１に記載の無線識別バンド。
【請求項１３】
前記電気カプラーは、穴と当該穴を通り抜けている導体とを備えている請求項１２に記載の無線識別バンド。
【請求項１４】
前記電気カプラーは、前記制御回路から前記パッチ層まで拡張する導電性コンジットである請求項１２に記載の無線識別バンド。
【請求項１５】
前記制御回路から前記絶縁体材を通して前記パッチ層または前記グランド層までまたは当該パッチ層及び当該グランド層の両方まで拡張している電気カプラーを更に備えている請求項１１に記載の無線識別バンド。
【請求項１６】
前記電気カプラーは、穴と当該穴を通り抜けている導体とを備えている請求項１５に記載の無線識別バンド。
【請求項１７】
前記電気カプラーは、前記制御回路から前記パッチ層または前記グランド層までまたは当該パッチ層及び当該グランド層の両方まで拡張している導電性コンジットである請求項１５に記載の無線識別バンド。
【請求項１８】
前記制御回路から前記絶縁体材を通して前記パッチ層または前記グランド層までまたは当該パッチ層及び当該グランド層の両方まで拡張している電気カプラーを更に備えている請求項８に記載の無線識別バンド。
【請求項１９】
前記電気カプラーは、穴と当該穴を通り抜けている導体とを備えている請求項１８に記載の無線識別バンド。
【請求項２０】
前記電気カプラーは、前記制御回路から前記パッチ層または前記グランド層までまたは当該パッチ層及び当該グランド層の両方まで拡張している導電性コンジットである請求項１８に記載の無線識別バンド。
【請求項２１】
前記制御回路は、前記パッチ層に隣接して配置される請求項７に記載の無線識別バンド。
【請求項２２】
前記制御回路は、前記絶縁材の内側ではない前記パッチ層の面上に配置される請求項２に記載の無線識別バンド。
【請求項２３】
前記制御回路から前記絶縁体材を通して前記グラウンド層まで拡張している電気カプラーを更に備えている請求項２２に記載の無線識別バンド。
【請求項２４】
前記電気カプラーは、穴と当該穴を通り抜けている導体とを備えている請求項２３に記載の無線識別バンド。
【請求項２５】
前記電気カプラーは、前記制御回路から前記グランド層まで拡張している導電性コンジットである請求項２３に記載の無線識別バンド。
【請求項２６】
前記構造体は、少なくとも二つの層を備えかつ前記マイクロストリップ・アンテナは、前記少なくとも二つの層の間に組み込まれる請求項１に記載の無線識別バンド。
【請求項２７】
前記パッチ層は、前記構造体のエッジ上に配置される請求項１に記載の無線識別バンド。
【請求項２８】
前記制御回路は、無線周波数識別（ＲＦＩＤ）回路を備えている請求項６に記載の無線識別バンド。
【請求項２９】
前記制御回路は、無線通信システムと通信するように構成される請求項１に記載の無線識別バンド。
【請求項３０】
前記制御回路に接続された音声または視覚表示装置を更に備える請求項１に記載の無線識別バンド。
【請求項３１】
前記制御回路は、少なくとも一つの有機材で実質的に形成される請求項１に記載の無線識別バンド。
【請求項３２】
前記制御回路は、少なくとも一つの有機材で全体的に形成される請求項３１に記載の無線識別バンド。
【請求項３３】
前記データは、人に関するバイオメトリック・データを含む請求項１に記載の無線識別バンド。
【請求項３４】
前記バイオメトリック・データは、指紋、音声、または網膜特性を含む請求項３３に記載の無線識別バンド。
【請求項３５】
前記構造体は、細長いリストバンド、アームバンド、レッグバンド、またはヘッドバンドである請求項１に記載の無線識別バンド。
【請求項３６】
少なくとも部分的に有機材から形成された電源を更に備えている請求項１に記載の無線識別バンド。
【請求項３７】
有機材で形成されたダイオードを更に備えている請求項１に記載の無線識別バンド。
【請求項３８】
前記データ記憶装置は、有機材で形成されたメモリを含む請求項１に記載の無線識別バンド。
【請求項３９】
前記誘電体材の前記厚みは、前記マイクロストリップ・アンテナによって放射される信号の自由空間波長のおおよそ百分の一である請求項１に記載の無線識別バンド。
【請求項４０】
クロージャ機構を更に備え、前記マイクロストリップ・アンテナが該クロージャ機構の一部である請求項１に記載の無線識別バンド。
【請求項４１】
前記クロージャ機構のクロージャ後の当該クロージャ機構の改竄またはオープニングは、前記制御回路に改竄が発生したということを決定させる請求項４０に記載の無線識別バンド。
【請求項４２】
前記制御回路は、改竄が発生したということを装置に知らせるように構成される請求項４１に記載の無線識別バンド。
【請求項４３】
改竄が発生したかどうかを示す前記制御回路に接続されたインジケータを更に備える請求項４１に記載の無線識別バンド。
【請求項４４】
前記データ記憶装置にデータを入力するためのキーパッドを更に備える請求項１に記載の無線識別バンド。
【請求項４５】
前記無線識別バンドは、使い捨てのものである請求項１に記載の無線識別バンド。
【請求項４６】
前記制御回路は、４００ＭＨｚ、９１５ＭＨｚ、２．４５ＧＨｚ、または５．８８ＧＨｚでまたはその近傍で通信するように構成されている請求項１に記載の無線識別バンド。
【請求項４７】
前記制御回路は、複数の回路を含む請求項１に記載の無線識別バンド。
【請求項４８】
前記データは、人に関する医療データを含む請求項１に記載の無線識別バンド。
【請求項４９】
前記マイクロストリップ・アンテナは、連続送信アンテナである請求項１に記載の無線識別バンド。
【請求項５０】
前記制御回路に電力を供給すべく接続されたフレキシブル・バッテリを更に備える請求項１に記載の無線識別バンド。
【請求項５１】
前記フレキシブル・バッテリは、有機材料を備える請求項１に記載の無線識別バンド。
【請求項５２】
別の装置と通信するように構成された無線識別器具であって、
人によって装着され、取り付けられ、または携帯されるように構成された構造体と、
前記人に関連付けられたデータを記憶するように構成されたデータ記憶装置と、
前記構造体の上にまたはその中に配置され、該構造体が該人によって装着され、取り付けられ、または携帯される場合に、エネルギーを該人から離れるように放射しかつ該人に向って実質的に少ないエネルギーを放射するように構成されるマイクロストリップ・アンテナと、及び
前記マイクロストリップ・アンテナに接続され、前記装置と前記マイクロストリップ・アンテナを通して通信するように構成された制御回路と、
を備えている無線識別器具。
【請求項５３】
前記マイクロストリップ・アンテナは、導電性パッチ層と、導電性グラウンド層と、及び前記パッチ層及び前記グラウンド層の間に配置された絶縁体材とを備え、前記グラウンド層は、前記構造体が前記人によって装着され、取り付けられ、または携帯される場合に前記パッチ層よりも人に近く配置される請求項５２に記載の識別器具。
【請求項５４】
前記マイクロストリップ・アンテナは、フレキシブルである請求項５２に記載の識別器具。
【請求項５５】
前記マイクロストリップ・アンテナは、前記人に装着されるように曲げられるかまたは外形に合わせて作られる請求項５２に記載の識別器具。
【請求項５６】
前記制御回路は、通信回路を含む請求項５２に記載の識別器具。
【請求項５７】
前記制御回路は、前記絶縁体材上に配置される請求項５３に記載の識別器具。
【請求項５８】
前記制御回路は、前記絶縁体材の中に配置される請求項５３に記載の識別器具。
【請求項５９】
前記制御回路は、前記絶縁材の内側にある前記パッチ層の面上に配置される請求項５８に記載の識別器具。
【請求項６０】
前記制御回路は、前記絶縁材の内側にある前記グラウンド層の面上に配置される請求項５８に記載の識別器具。
【請求項６１】
前記制御回路は、前記絶縁材の内側ではない前記グラウンド層の面上に配置される請求項５３に記載の識別器具。
【請求項６２】
前記制御回路から前記絶縁体材を通して前記パッチ層まで拡張している電気カプラーを更に備えている請求項６１に記載の識別器具。
【請求項６３】
前記電気カプラーは、穴と当該穴を通り抜けている導体とを備えている請求項６２に記載の識別器具。
【請求項６４】
前記電気カプラーは、前記制御回路から前記パッチ層まで拡張する導電性コンジットである請求項６２に記載の識別器具。
【請求項６５】
前記制御回路から前記絶縁体材を通して前記パッチ層または前記グランド層までまたは当該パッチ層及び当該グランド層の両方まで拡張している電気カプラーを更に備えている請求項５７に記載の識別器具。
【請求項６６】
前記電気カプラーは、穴と当該穴を通り抜けている導体とを備えている請求項６５に記載の識別器具。
【請求項６７】
前記電気カプラーは、前記制御回路から前記パッチ層または前記グランド層までまたは当該パッチ層及び当該グランド層の両方まで拡張している導電性コンジットである請求項６５に記載の識別器具。
【請求項６８】
前記制御回路から前記絶縁体材を通して前記パッチ層または前記グランド層までまたは当該パッチ層及び当該グランド層の両方まで拡張している電気カプラーを更に備えている請求項５８に記載の識別器具。
【請求項６９】
前記電気カプラーは、穴と当該穴を通り抜けている導体とを備えている請求項６８に記載の識別器具。
【請求項７０】
前記電気カプラーは、前記制御回路から前記パッチ層または前記グランド層までまたは当該パッチ層及び当該グランド層の両方まで拡張している導電性コンジットである請求項６８に記載の識別器具。
【請求項７１】
前記制御回路は、前記パッチ層に隣接して配置される請求項５７に記載の識別器具。
【請求項７２】
前記制御回路は、前記絶縁材の内側ではない前記パッチ層の面上に配置される請求項５３に記載の識別器具。
【請求項７３】
前記制御回路から前記絶縁体材を通して前記グラウンド層まで拡張している電気カプラーを更に備えている請求項７２に記載の識別器具。
【請求項７４】
前記電気カプラーは、穴と当該穴を通り抜けている導体とを備えている請求項７３に記載の識別器具。
【請求項７５】
前記電気カプラーは、前記制御回路から前記グランド層まで拡張している導電性コンジットである請求項７３に記載の識別器具。
【請求項７６】
前記構造体は、少なくとも二つの層を備えかつ前記マイクロストリップ・アンテナは、前記少なくとも二つの層の間に組み込まれる請求項５２に記載の識別器具。
【請求項７７】
前記パッチ層は、前記構造体のエッジ上に配置される請求項５２に記載の識別器具。
【請求項７８】
前記制御回路は、無線周波数識別（ＲＦＩＤ）回路を備えている請求項５６に記載の識別器具。
【請求項７９】
前記制御回路は、少なくとも一つの有機材で実質的に形成される請求項５２に記載の識別器具。
【請求項８０】
前記制御回路は、少なくとも一つの有機材で全体的に形成される請求項７９に記載の識別器具。
【請求項８１】
前記データは、人に関するバイオメトリック・データを含む請求項５２に記載の識別器具。
【請求項８２】
前記構造体は、細長いリストバンド、アームバンド、レッグバンド、またはヘッドバンドである請求項５２に記載の識別器具。
【請求項８３】
少なくとも部分的に有機材から形成された電源を更に備えている請求項５２に記載の識別器具。
【請求項８４】
有機材で形成されたダイオードを更に備えている請求項５２に記載の識別器具。
【請求項８５】
前記データ記憶装置は、有機材で形成されたメモリを含む請求項５２に記載の識別器具。
【請求項８６】
前記誘電体材の前記厚みは、前記マイクロストリップ・アンテナによって放射される信号の自由空間波長のおおよそ百分の一である請求項５３に記載の識別器具。
【請求項８７】
クロージャ機構を更に備え、前記マイクロストリップ・アンテナが該クロージャ機構の一部である請求項５２に記載の識別器具。
【請求項８８】
前記クロージャ機構のクロージャ後の当該クロージャ機構の改竄またはオープニングは、前記制御回路に改竄が発生したということを決定させる請求項８７に記載の識別器具。
【請求項８９】
改竄が発生したかどうかを示す前記制御回路に接続されたインジケータを更に備える請求項８８に記載の識別器具。
【請求項９０】
前記マイクロストリップ・アンテナは、連続送信アンテナである請求項５２に記載の識別器具。
【請求項９１】
前記識別器具は、識別カードである請求項５２に記載の識別器具。
【請求項９２】
前記識別器具は、衣料品に添付することができるパッチである請求項５２に記載の識別器具。
【請求項９３】
前記制御回路に電力を供給すべく接続されるフレキシブル・バッテリを更に備える請求項５２に記載の識別器具。
【請求項９４】
前記フレキシブル・バッテリは、有機材料を備える請求項５２に記載の識別器具。
【発明の詳細な説明】
【技術分野】
【０００１】
本発明は、リストバンドのような識別器具用のアンテナに関し、特にリストバンドのような識別用のマイクロストリップ・アンテナまたはパッチ・アンテナに関する。
【背景技術】
【０００２】
この開示は、便宜上、“バンド”としてまたは“識別器具”として集合的に呼ばれる、改良された識別リストバンド、ブレスレット、パッチ、ヘッドバンド、ネックレス、カード、ステッカー、またはその他の装着型器具について考察する。識別バンドは、人々に永久的に印を付けることなく人々を識別する便利で効率的な方法になってきている。バンドの基本的利点は、それが究極的に着脱可能であるということである。識別バンドは、一般に、その幅よりも大きい長さを有している柔軟性リスト・ストラップと、及び装着者のリストの回りに確実にバンドを取り付けかつ保持するためのクロージャまたは固定装置で構成されている。バンドの一部は、装着者に関する識別またはその他の情報を刷り込むかさもなければ取り付けるために用いられうる。また、バンド及び関連する人または物に関連付けられた情報を記憶しかつ転送するためにバーコード、無線周波数識別（ＲＦＩＤ）装置、等が用いられうる。例えば、ＲＦＩＤ装置は、３０キロヘルツ（ｋＨｚ）から３００ギガヘルツ（ＧＨｚ）の範囲の周波数で動作するものを含む。様々なバンド構造、アタッチメント及び電子データ及びＲＦＩＤ機能の記憶装置を含んでいるその他の特徴が、例えば、Ｐｅｎｕｅｌａの米国特許第５，４９３，８０５号公報、Ｍｏｓｈｅｒの米国特許第５，４５７，９０６号公報、Ｍｏｓｈｅｒの米国特許第５，９７３，６００号公報、Ｂｅｉｇｅｌの米国特許第５，９７３，５９８号公報、Ｂｅｉｇｅｌの米国特許第６，１８１，２８７号公報、Ｐｅｔｅｒｓｏｎの米国特許第５，４７９，７９７号公報、及びＰｅｔｅｒｓｏｎの米国特許第５，５８１，９２４号公報に記述されている。
【０００３】
バンドは、それらを物理的に確実に装着者に取り付けることができるので（クレジット・カード、チケット、等のような）データを包含しているＩＤカードの他の形に対して有利である。その結果、識別バンドの現行使用者は、病院、診療所及びその他の場所の患者識別；遊園地におけるアクセス；一時的保全措置、ファシリティ・アクセス制御、及び発券及びエンタイトルメント機能を含む。
【０００４】
識別バンドに対する一つの重要な使用は、病院、診療所及びその他の場所における患者識別及び位置である。適切な読取り装置と一緒に使用される場合には、患者情報を職務上の仕事で医療スタッフにより電子的に収集しかつ使用することができる。別の例は、刑務所の囚人のような人々の位置を追跡することである。
【０００５】
識別バンドは、例えば、バンド上の、印刷された情報を視覚的に読んでいるか、またはバーコード情報をスキャンしている人によって、または識別バンドによって伝送された識別情報を電子的に読み取ることによって、簡単に情報を供給する。それゆえに、バーコード、ＲＦＩＤ装置、等は、バンド及び関連する人または対象物に関連付けられた情報の情報記憶及びデータ転送を向上するために用いられる。しかしながら、識別バンドが別の装置に情報を送信するかまたは別の装置から情報を受信する場合、情報の正確度は、伝送不良によって損なわれうる。
【０００６】
情報は、トランスポンダー（応答器）またはＲＦＩＤ“タグ”に電子的に記憶されかつその情報は、タグ“リーダー（読取り装置）”に伝達される。ＲＦＩＤタグとリーダーとの間の通信は、電磁（ＥＭ）波の送信及び受信によってであり、かつそれぞれは、電気信号をＥＭ波に及びその逆に変換するためにアンテナを有していなければならない。
【０００７】
ローパワーＲＦＩＤシステムは、高周波数（ＨＦ）から超高周波数（ＳＨＦ）無線帯域、概略３メガヘルツ（ＭＨｚ）から６ギガヘルツ（ＧＨｚ）を含んでいる、広範囲の周波数にわたり動作することができる。高周波数（ＨＦ）帯域、例えば１３．５ＭＨｚで動作しているＲＦＩＤタグの性能は、人体に対するタグの近接によって一般に影響を及ぼされない。これは、識別バンドで用いられるＲＦＩＤタグに対して望ましい。タグ・アンテナとリーダー・アンテナとの間の連結（カップリング）は、主に、タグ・アンテナが共振回路のコイルとして構成される、リアクティブ・ニア・フィールド（reactive near field）の磁気構成要素によってである。しかしながら、典型的なリストバンドは、長さが６インチであり、アンテナを含まなければならないし、同時に１３．５ＭＨｚにおける波長は、７３フィートであり、そして直線寸法における波長の小さな割合(small fraction)であるアンテナは、かなり非効率的な送信アンテナ及び受信アンテナであるということがよく知られている。その結果、動作の有効範囲は、かなり制限されうるし、かつしばしばリーダー・アンテナからほんの数インチでありうる。これは、識別バンドにおけるＨＦタグの有用性を制限しうるしかつ例えば、人の位置または進入/退出警報アプリケーションにおいてそれらを使用不能にしうる重要な欠点である。
【０００８】
また、ＲＦＩＤシステムは、極超短波（ＵＨＦ）帯域の４００ＭＨｚ、９１５ＭＨｚ、２．４５ＧＨｚ及びＳＨＦ帯域の５．８８ＧＨｚにおけるまたはその近傍における動作を含んでいる、さらに高い周波数で動作しうる。これらの周波数では、タグとリーダー・アンテナとの間の結合は、数波長以上の距離にわたり伝搬する電磁（ＥＭ）波である、ラディエーティング・ファー・フィールド(radiating far field)によってである。これらの周波数は、帯域のアンテナまたは類似する大きさの他の構造に対して、効率の点からみて、より適切である、３０インチから２インチまでの波長に対応する。より効率的アンテナの結果として、これらの周波数における動作は、典型的に１０フィートまたそれ以上の、実質的により高い範囲を結果としてもたらしうる。しかしながら、ＨＦ帯域と比較すると、これらの周波数帯域におけるＥＭ波の送信及び受信は、より短い波長の結果としてアンテナの隣接環境における障害物及び材料によってより強く影響を及ぼされる。特に、例えば、バンドにおいて、人体上でまたはそれに隣接して動作する、ループアンテナまたはダイポールアンテナは、通信リンクの同程度の劣化を伴って、かなり離調されるかあるいは動作不能にされる。それゆえに、ＲＦＩＤケーパビリティを有する識別バンドにおけるこれらのアンテナの利用可能性は、かなり制限される。
【発明の開示】
【発明が解決しようとする課題】
【０００９】
上記アンテナの離調及び通信劣化問題は、分離された（近隣の障害物から自由な）ループアンテナまたはダイポールアンテナは、反対方向にＥＭエネルギーを通常放射するという事実に直接起因すると考えられる。しかし、人体の表面上またはその近くの場合には、リアクティブ・ニア・フィールド（アンテナに最も近い電磁場）は、人間の組織（ティシュー）によってひずまされ、アンテナとそれが直接接続される回路との間にインピーダンス・ミスマッチをもたらす。このミスマッチは、アンテナを事実上離調しかつ人体から離れる方向に放射されるＥＭエネルギーの量を低減する。
【００１０】
従って、識別バンドに対する改良されたアンテナの必要性が存在する。
【課題を解決するための手段】
【００１１】
リストバンド、ブレスレット、パッチ、ヘッドバンド、ネックレス、カード、ステッカー、またはその他の着用器具のような、識別器具用のマイクロストリップまたはパッチ・アンテナは、導電性パッチ層、導電性グラウンド層、及び導電性パッチ及びグラウンド層間に絶縁体層を備えている。マイクロストリップ・アンテナは、好ましくはグラウンド層がユーザに最も近くかつパッチ層がユーザから最も遠いような、識別器具に取り付けられるかまたはその中に配置される。
【００１２】
本発明のその他のシステム、方法、特徴及び利点は、以下の図面及び詳細な説明の検討により当業者にとって明らかであるかまたは明らかになるであろう。全てのそのような追加のシステム、方法、特徴及び利点は、この説明の内にふくまれるものであり、本発明の適用範囲内であり、かつ特許請求の範囲によって保護されるものであるということを企図する。
【００１３】
図面の構成要素は、必ずしも縮尺で描かれているものではなく、その代わりに強調が本発明の原理を説明することに置かれている。更に、図において、同様の参照番号は、異なる図面全体を通して対応する部分を指している。しかしながら、同様な部品は、常に同じ参照番号を有するとは限らない。更に、全ての説明は、概念を示唆することを意図するものであり、相対的なサイズ、形状及びその他の詳細の属性は、文字通りまたは正確であるよりも概略的に示されうる。
【実施例】
【００１４】
この明細書中で用いられるように、“in”の意味は、単独で或いは“therein”のような組合せにおいて、“in”及び“on”を含む；“radio frequency identification”及び“RFID”は、無線周波数通信による識別を表す。
【００１５】
図１は、その一部分として、マイクロストリップ・アンテナ３０を包含している識別器具１０の例示的実施形態の図である。マイクロストリップ・アンテナ３０は、好適にはパッチ・アンテナである。識別器具１０は、ＲＦＩＤ回路のような、通信回路３２を有している構造体２０を有する。通信回路３２は、あらゆる種類のシステム、ネットワーク、または装置と通信するように構成されうるし、かつ、ブルーツゥース(Bluetooth)またはＩＥＥＥ８０２．１１を含んでいる、あらゆる通信プロトコルを用いうる。ブルーツゥースに関する更なる情報については、インターネット・ウェブサイトhttp://www.bluetooth.comを参照されたい。本実施形態ではバンドとして、識別器具１０は、人により装着されること、人に取り付けられること、または人によって携帯されることに適する構造体２０を含む。好適には、識別器具１０は、リストバンドでありかつ構造体２０は、細長い、フレキシブル・リストバンド素材である。例えば、構造体２０は、高分子材料、紙、または有機基板の細長い、フレキシブル・ストリップでありうる。しかしながら、識別器具１０は、人のリストにだけ取り付けられるものである必要はなく、それは、人または動物のリスト（腕）、アンクル（くるぶし）、ネック（首）、またはその他の部分、また物体に取り付けることができる。
【００１６】
また、識別器具１０は、マイクロストリップ・アンテナ３０も含む。マイクロストリップ・アンテナ３０は、構造体２０に別々に取り付けられうるかまたは識別器具１０の電子回路に集積されうる。また、マイクロストリップ・アンテナ３０は、それが曲がるようにフレキシブル・プリント回路基板で構築されうる。フレキシブル・プリント回路基板の例は、米国特許第５，８０９，３６１号公報及び米国特許第６，２１０，５１８号公報に開示されている。マイクロストリップ・アンテナ３０は、“パッチ”または導電性パッチ層２２と称されうる、上部導電性層２２と、グラウンド・プレーンとして動作する下部導電性層２４と、及びその間に絶縁体材料２６とを備えている。また、導電性パッチ及びグラウンド層は、パッチ及びグラウンド導体とも称されうる。好適には、マイクロストリップ・アンテナ３０は、アンテナにアセンブルされた、金属導電性パッチ層２２、絶縁体層２６及びグラウンド・プレーン２４を備えている。導電性パッチ層２２及び導電性グラウンド層２４は、あらゆる導電性材料で形成されうるし、かつ各導電性層は、異なる導電性材料で作られうる。導電性材料は、例えば、導電性金属、箔（フォイル）、インク、ポリマー、有機材料及び炭素を含む。導電性材料は、エッチ、プリント、スパッタ、成長されうるか、さもなければ導電性パッチ層２２及び/または導電性グラウンド層２４を生成すべく形成されうる。勿論、いずれの実施形態でも、導電性パッチ層２２と導電性グラウンド層２４との間の相対的な大きさの差は、変えられうる。例えば、導電性グラウンド層２４は、絶縁体２６よりも大きいことがありうるしかつ図１に示したよりも構造体２０に沿ってさらに拡張しうる。事実、導電性グラウンド層２４は、構造体２０の周囲全体にわたり拡張しうる。更に、導電性パッチ層２２、絶縁体層２６及び導電性グラウンド層２４の厚みは、様々な厚みでありうる。絶縁体層２６は、フォーム（発泡）、プラスチック、空気、または波形プラスチックを含んでいる、あらゆる絶縁体材料を備えうる。マイクロストリップ・アンテナ３０の構成要素は、構造体２０に接続されるかまたは組み込まれるのが好ましい。
【００１７】
マイクロストリップ・アンテナ３０は、多くの方法で製造することができるが、両面に銅クラッドを有しているプリント回路基板材から製造されるのが好ましい。特には、マイクロストリップ・アンテナ３０は、プレーナ絶縁体層を備えているプリント回路基板上に形成されるのが好ましい。絶縁体層２６は、グラウンド・プレーン２４を形成する層の一つの面全体上に銅クラッドを有し、かつ導電性パッチ層２２を形成すべくエッチされる他方の面に銅クラッドを有している。絶縁体層２６の一つの面の全体上に銅クラッドを有することが好ましいが、面の全体ではなく、かなりの部分を覆う銅クラッドを有することも可能である。勿論、マイクロストリップ・アンテナ３０の構成要素の大きさ、寸法及び形状は、変化しうる。例えば、導電性パッチ層２２は、円形、長円形、または半円形でありうる。
【００１８】
マイクロストリップ・アンテナ３０は、着用者に対して使いにくくないように容易に識別器具１０に取り付けられうるかまたは埋め込まれうるように比較的薄く作ることができる。マイクロストリップ・アンテナ３０は、高い誘電率を有する薄い絶縁体層２６を用いることによって小さくしうる。絶縁体層２６の厚みは、だいたい放射信号の自由空間波長の百分の一程度であるのが好ましく、かつパッチそれ自体は、長さＬ及び幅Ｗで、ＷがＬよりも小さいのが好ましい。
【００１９】
Ｌが絶縁体層２６において概ね半波長である場合には、マイクロストリップ・アンテナ３０は、両端に開回路を有する伝送線路共振器を形成する。マイクロストリップ共振器３０の両端は、二つの開回路における電界により一対のスロット放射器として動作する。このマイクロストリップ・アンテナ３０によって生成されるファー・フィールド放射は、導電性パッチ層２２の面でかつ導電性パッチ層２２の長さに平行に電界偏波、即ち直線偏波（ＬＰ）の、電磁（ＥＭ）波を伴って、導電性パッチ層２２に垂直な方向で最も強い。ニア及びファー・フィールドの両方は、グラウンド・プレーン２４に垂直な方向で最小である。マイクロストリップ・アンテナ３０からの最大放射は、導電性パッチ層２２に対して垂直で、かつそれと同じ側にあり、かつ最小または無放射は、反対側（グラウンド・プレーン２４）で発生する。識別器具における望ましくない近接効果は、従って、着用者に向って内側にグランド・プレーン２４を配置することによって軽減される。識別器具においてＲＦＩＤケーパビリティを実現するために用いる場合には、マイクロストリップ・アンテナ３０は、ボディーに向って、一つの側に本質的に低減されたニア・フィールド・エネルギーを有し、従ってボディーから離れて効率的に放射する。それゆえに、マイクロストリップ・アンテナ３０は、無線通信ネットワークのような、識別器具リーダとマイクロストリップ・アンテナ３０を包含している識別器具１０との間の動作範囲を改良しうる。
【００２０】
マイクロストリップ・アンテナ３０は、多くの方法で駆動しうる。第１の例は、グラウンド・プレーン２４を通して突出しかつ幅Ｗを半分横切った真中の点で導電性パッチ層２２に接続する同軸プローブによってである。第２の例は、導電性パッチ層２２の一端の中心に接続する細いマイクロストリップ伝送線路によってである。マイクロストリップ・アンテナ３０の効率（例えば、駆動電力に対する放射電力の比）は、低い誘電損失を有する高品質材料で作られかつＵＨＦ及びＳＨＦ帯域で動作する場合にはかなり高いものでありうる（例えば、８０パーセント以上）。それゆえに、マイクロストリップ・アンテナは、ＵＨＦ及びＳＨＦ周波数が用いられる場合にパフォーマンス・サイズ及びコスト（性能範囲及び費用）における改良を提供する。ＦＲ−４として指された、一般的な低コスト・プリント回路基板材は、まだ使用可能でありうるが、誘電定数における広い範囲の変化及び高誘電損失によりこれらの高周波数帯域においてかなり不十分に機能する。これらの周波数に対する高品質材料は、（米国）Ａｒｉｚｏｎａ州、ＣｈａｎｄｌｅｒのＲｏｇｅｒｓ  Ｃｏｒｐから市販されておりかつＲｏｇｅｒｓ‘材料４００３を含む。
【００２１】
Ｌ及びＷの両方が絶縁体層２６において概ね半波長であるときには、マイクロストリップ・アンテナ３０は、共振しかつ二方向に放射しうる。パワーが二つの共振間に均等に分割されかつ９０度移相がそれらの間に導入された場合には、導電性パッチ層２２に垂直である、結果として得られるファー・フィールド放射は、導電性パッチ層の面において円形パターンで回転する電界、即ち、円偏（ＣＰ）ＥＭ波を有する。電界の回転がマイクロストリップ・アンテナ３０から離れるような方向で時計方向である場合には、それは、右手円偏（ＲＨＣＰ）波であり、そして回転が反時計方向である場合には、それは、左手円偏（ＬＨＣＰ）波である。センス（方向）（ＲＨＣＰまたはＬＨＣＰ）は、導電性パッチ層２２で９０度リードする方向によって決定される。無線識別器具１０からのＣＰ放射を用いることの利点は、リーダー・アンテナが、識別器具１０のアンテナと同じセンスで直線偏波されるか、または円偏波される場合にアンテナ配向にあまり依存しないということである。
【００２２】
実施形態にいずれかに対する代替として、マイクロストリップ・アンテナ３０またはマイクロストリップ・アンテナ３０の一部は、構造体２０に対するクロージャ機構（例えば、固定手段）の部分として、または構造体２０のクロージャ機構内に製造されうる。クロージャ機構は、電気的または反応性結合によって構造体２０に結合されうる。更に、マイクロストリップ・アンテナ３０の構成要素が結果として得られる識別器具１０が薄くかつ装着することが快適であるように薄いことが好ましい。
【００２３】
ＲＦＩＤ回路のような、電子通信回路３２は、０．０１０〜０．０２０インチ厚みであるベア・サーフェイス・マウント・ダイ（露出表面実装ダイ）に包含されることが好ましい。集積回路チップまたはハイブリッド回路チップの形でありうる、通信回路３２の実装は、いくつかの方法で達成することができる。通信回路３２は、導電性パッチ層２２及びグラウンド層２４の両方に電気的に接続されるということが必要である。導電性パッチまたはグラウンド層上にまたは隣接して実装される場合には、直接接続（例えば、はんだまたは導電性接着剤）がその導電性層とチップ３２との間で好ましい。非隣接導電性層に接続する方法は、ワイヤ、ケーブル、またはプリント回路伝送線路を用いることを含む。また、回路３２は、誘電体層２６上に直接実施され、銅クラディングからエッチ・アウトされたプリント回路と該回路に結合された離散部分とを備え、該回路は、ワイヤ、ケーブル、またはプリント回路伝送線路によって導電性パッチ層２２及び導電性グラウンド層２４に接続される。
【００２４】
通信回路３２は、アンテナ回路と、信号発生器回路と、プログラマバル・エンコーダ回路と、及び相互接続回路とを備えるのが好ましい。一実施形態では、電子回路を包含している表面実装ＲＦＩＤチップは、識別器具１０内に実装されかつマイクロストリップ・アンテナ３０に電気的に接続される。通信回路３２を備えている回路は、様々な組合せで、構造体２０または誘電体層２６に有することができるか、または導電性経路、半導体装置、またはポリマー材の一つ以上の誘電体層２６における層上への成長によって形成することができる。また、構造体２０または絶縁体層２５上に直接成長された導電性、絶縁性及び/または半導体材料で全体的に構成されている回路を用いうる。実際、識別器具１０の回路のいずれも、半導体、導体及び絶縁体から部分的にまたは全体的に作ることができ、かつその開示全体が全ての目的で参考文献としてここに採り入れられる米国特許第５，９７３，５９８号公報に記述されたように、無機または有機材料で製造されうる。換言すると、識別器具１０は、無機または有機でありうるし、かつ識別器具１０にプリントされうる、半導体、導体及び絶縁体から部分的にまたは全体的に作られた電子構成要素を有しうる。米国特許第５，９７３，５９８号公報は、そのいずれかが改良型識別器具１０に用いられうる、有機構成要素を記述する。図１に示すように、通信回路３２は、導電性パッチ層２２上にあるが、しかし後で説明するように、通信回路３２は、実施形態のいずれに対してもそうであるように、様々なその他の場所に配置することができる。誘電体層２６及びプリント構成要素は、フレキシブルでありうる。
【００２５】
識別器具１０は、振動装置、スピーカ、または視覚表示装置のような感覚、通信及び表示機能に対する構成要素を有しうる。改良型識別器具１０は、それによって有される電子回路に一次または補助電源を供給するためのバッテリを包含しうる。バッテリは、フレキシブル構造体２０上に形成されたフレキシブル・バッテリでありうる。バッテリは、ＲＦＩＤ回路、電子回路、光回路、データ記憶装置を更に含みうる、通信回路３２のような電力を必要とするあらゆる装置に電力を供給しうる。バッテリは、識別器具１０がその対象物に取り付けられる場合に起動されうるか、または光信号または電磁気信号の受信によって起動されうる。任意で、バッテリは、バッテリが周囲の光によって充電または再充電されるようにソーラ構成要素を含みうる；ソーラ・セル（太陽電池）及び再充電回路は、無機または有機材料で形成することができる。バッテリは、交換可能でありうるかそうでないこともありうる。バッテリは、識別器具基板に刷り込まれるかまたはその上に構築されるフレキシブル・ポリマー・バッテリでありうる。米国特許第５，９７３，５９８号公報は、改良型識別器具３０で用いられうる、ポリマー・バッテリを記述する。バッテリを有する識別器具１０は、適正な認証またはサービスの開始により起動されうる。バッテリが所定期間でまた所定期間内にまたはカレンダー日付/時間内にパワーを使い果たしてしまった場合には、識別器具１０を制御しているソフトウェアは、通信機能またはその他の機能を停止しうる。バッテリの負荷は、プログラマブル定数に基づき、固定されうるかまたは時間設定されうる。
【００２６】
この開示に記述された識別器具またはバンドのいずれかは、識別バンドが外部電磁場信号によって通電されるように電磁エネルギー吸収手段を有しうる。例えば、アンテナは、受信信号からパワーを獲得しうるし、パワーは、識別器具上の回路のあるものまたは全てにパワーを供給するために用いられる。インテロゲイティング/パワーリング電磁信号は、パワー及びイネーブリング情報を識別バンドに供給する。インテロゲイティング/パワーリング信号は、パワー信号だけまたはパワー信号及びパワー信号上に変調された情報の両方を包含しうる。電磁信号によって通電することにより、識別バンドは、バンドでプログラムされ、バンドに記憶されたか、またはインテロゲイティング/イネーブリング装置から受信したデータにより読取り可能情報を光学的に表示しうる。
【００２７】
図２は、絶縁体材２６に実装されるＲＦＩＤ回路に対するもののような、通信回路構成要素３２ａ、３２ｂ、３２ｃを包含している識別器具１０の例示実施形態の水平方向（縦）の断面の図である。実施形態のいずれによるように、通信回路構成要素３２ａ、３２ｂ、３２ｃは、ＲＦＩＤ回路、電子回路、光回路、記憶装置、及び/またはその他の回路または装置を更に含みうる。識別器具１０は、識別器具１０をリストバンドとして用いることができるように細長いことが好ましい、構造体２０と、そしてマイクロストリップ・アンテナ３０とを含む。マイクロストリップ・アンテナ３０は、導電性パッチ層２２、グラウンド・プレーンとして動作する導電性グラウンド層２４、及びパッチ及びグラウンド層２２、２４間の絶縁体材２６を含む。本実施形態では、通信回路３２は、導電性パッチ層２２とグラウンド層２４との間の領域に配置される。本実施形態は、回路３２及びアンテナが互いの性能を劣化することが可能なので、その他の実施形態よりも好適ではない。それにも係わらず、本実施形態では、通信回路構成要素３２は、絶縁体材２６に実装されかつ導電性パッチ層２２の底部（例えば、通信回路構成要素３２ａを参照）、グラウンド層２４の上部（例えば、通信回路構成要素３２ｃを参照）、またはパッチ及びグラウンド層の間（例えば、通信回路構成要素３２ｂを参照）に実装されうる。ワイヤまたはその他の導体は、導電性層に絶縁体２６の穴を通して接続するために用いられうる。穴は、回路３２を導電性層に接続するために導電性材料の通過を許容する。穴に対する代替は、バイアまたはメッキ・スルー穴としても知られている、導電性コンジットである。更に代替的に、ワイヤ導体の代わりに、誘電性または容量性カップラーを用いうる。穴、導電性コンジット及び誘電性/容量性カップラーの全ては、“電気的カップラー”と一般に称されうる。ベア・ダイ通信回路構成要素３２ａ、３２ｂ、３２ｃを用いることによって、回路構成要素は、高さを１０〜２０ミル（ミル：１０００分の１インチ）のように薄くすることができる。本実施形態では、通信回路３２は、マイクロストリップ・アンテナ３０の共振領域の内側にある。
【００２８】
図３は、例えば、ＲＦＩＤチップでありうる、通信回路３２を有するマイクロストリップ・アンテナ３０の別の例示的実施形態の概略図である。この例示的実施形態では、通信回路構成要素３２は、グラウンド層２４の下面（即ち、絶縁体材２６に反対の面）に実装され、かつそれに直接接続される。再び、実施形態のいずれに対してもそうであるように、ベア・ダイ通信回路構成要素３２を用いることによって、回路素子は、高さを１０〜２０ミル程度に薄くすることができる。ワイヤまたはその他の導体は、通信回路３２を導電性パッチ層２２に接続する。ワイヤは、絶縁体２６の穴を通り抜ける。この実施形態では、通信回路３２は、マイクロストリップ・アンテナ３０の共振領域の外側にある。
【００２９】
図４は、例えば、ＲＦＩＤチップでありうる、通信回路３２を有するマイクロストリップ・アンテナ３０の更に別の例示的実施形態の概略図である。図４において、通信回路３２は、導電性パッチ層２２の隣に、絶縁体２６の上部に実装されて示されている。絶縁体材２６を通る穴４０は、通信回路３２に絶縁体材２６の下のグラウンド・プレーン２４と接触させる。通信回路３２は、絶縁体材２６の上部の導体によって、または絶縁体材２６に埋め込まれた導体５０によって導電性パッチ層２２に接続されうる。
【００３０】
図５は、例えば、ＲＦＩＤチップでありうる、通信回路３２を有するマイクロストリップ・アンテナ３０の更に別の例示的実施形態の概略図である。通信回路３２は、絶縁体材２６の上部にある、導電性パッチ層２２の上部に実装されている。穴４０は、導電性パッチ層２２及び絶縁体材２６を通って拡張している。穴４０は、望ましい場合には、絶縁体材２６の下のグラウンド・プレーン２４へ接触するためのアクセスを通信回路３２に与える。
【００３１】
図６は、例えば、ＲＦＩＤチップでありうる、通信回路３２を有するマイクロストリップ・アンテナ３０の更に別の例示的実施形態の概略図である。図６のマイクロストリップ・アンテナ３０は、識別器具１０の着用者に対してより良いフィットを生成するように曲げられるかまたは外形に合わせて作られる。リストバンドのような構造体２０は、マイクロストリップ・アンテナ３０及び通信回路（図６に図示していない）に取り付けられうる。絶縁体層２６は、フレキシブルでありうるか、または剛体でかつ曲線で形づけられうる。
【００３２】
構造体２０にマイクロストリップ・アンテナ３０及び通信回路を取り付ける例示的方法をここで説明する。図７は、その構造体２０が上部不導体層４２及び下部不導体層４４を備えている識別器具１０の例示的実施形態の図である。マイクロストリップ・アンテナ３０及び回路（図示省略）は、上部及び下部不導体層４２、４４の間に積層される。低いＥＭ損失を有している材料の追加の不導体層は、マイクロストリップ・アンテナ３０及び回路を湿気、磨耗、等から保護するために好適に用いられる。図７並びに実施形態のいずれかに対して、回路は、モジュールの形でありうる。マイクロストリップ・アンテナ３０及び回路は、それらが構造体２０に積層される前または積層製品の製造のときに作られる。例えば、マイクロストリップ・アンテナ３０及び回路がプリンティングのような高速処理によって形成される場合には、それらは、識別器具１０が製造されるときとほぼ同時に製造されうる。
【００３３】
図８は、この例では識別バンドである、識別器具の固定部分に組み込まれたマイクロストリップ・アンテナの例示的実施形態の図である。識別器具１０は、クロージャまたは固定機構６２の部分６０を受け入れるために管状である細長い構造体２０を有する。識別バンドに対する管状構造体の例は、米国特許第５，７４０，６２３号公報に開示されている。固定機構６２の他端６４は、管状の細長い構造体２０の他の各々の端にフィットするように構成されるのが好ましい。この例示的実施形態では、マイクロストリップ・アンテナ３０は、通信回路３２に結合されかつ絶縁体材２６上に存在している導電性パッチ層２２を有する。導電性グラウンド層２４は、識別器具１０の絶縁体材２６と着用者の体（例えば、リスト、アーム、アンクル）との間に存在する。マイクロストリップ・アンテナ３０が固定機構６２にあるので、アンテナは、識別器具１０の全てを廃棄することなく望ましいように変更されうる。更に、固定機構６２の両端及び管状構造体２０の対応する内面は、コンタクトが接続されるときに回路を形成すべく導電性コンタクトを有しうる。このようにして、識別器具１０は、固定機構６２が固定されたか、取り外されたか、または改竄されたいかどうかを決定することができる。
【００３４】
実施形態のいずれかにおいて、識別器具１０は、例えば、以下に説明する特徴のいずれかのような、任意の構造体及び特徴を含みうる。例えば、通信回路は、あらゆる種類の通信機能を実行しうるし、かつ応答器（トランスポンダー）のように受動的に及び/または通信を起動することによって能動的に通信することができる。識別器具１０は、ＵＨＦまたはＳＨＦ無線帯域で動作しうる。
【００３５】
同様に、通信回路は、マイクロプロセッサ、マイクロコントローラ、中央処理装置（ＣＰＵ）、論理演算装置（ＡＬＵ）、数値演算コプロセッサー、浮動小数点コプロセッサー、グラフィルクス・コプロセッサー、ハードウェア・コントローラ、コントローラとして用いるためにプログラムされたプログラマブル・ロジック装置、またはその他の制御ロジックでありうる、制御ロジックまたは処理装置を含みうる。通信回路は、例えば、あらゆる種類のメモリのような、任意のデータ記憶装置を更に含みうる。例えば、メモリは、ランダム・アクセス・メモリ（ＲＡＭ）、リード・オンリー・メモリ（ＲＯＭ）、プログラマブル・リード・オンリー・メモリ（ＰＲＯＭ）、電気的消去・書込み可能ＰＲＯＭ（ＥＥＰＲＯＭ）、紫外線消去・書込み可能ＰＲＯＭ（ＵＶＰＲＯＭ）、固定型ディスク・メディア（媒体）、フレキシブル・ディスク・メディア、フラッシュ・メモリ、強誘電性（強誘電体）メモリ、有機半導体メモリ、テープ、またはあらゆるその他の記憶検索手段、またはこれら揮発性及び不揮発性メモリ手段の組合せでありうる。勿論、可動メディア・メモリ（例えば、ディスク、テープ）は、可動メディア・メモリが小さいかまたは薄くない限り、人のリストにフィットするように作られた識別器具において実用的ではないであろう。データ記憶装置は、リーディング・オンリー（読出し専用）、読出し及び書込み、またはライティング・オンリー（書込み専用）を更に可能にしうる。
【００３６】
識別器具１０は、光電子構成要素または信号（シグナリング）、信号送信、信号受信、または指示（インジケーティング）回路のような回路をキャリーし（持ち）うる。光電子構成要素は、（例えば、発光ダイオードからの光による）シグナリング、（例えば、光を発光することまたは反射率を変化させることによる）指示（インジケーティング）、（例えば、予め形成されたインジケータまたはインジケータのマトリックスによって英数字または画像データの）表示（ディスプレイング）、（例えば、光または音のレベルの）感知（センシング）、パワー変換（例えば、光起電力セル）のような、様々な機能を実行しうる。これらの構成要素は、シリコン、ポリマー、またはその他の材料でありうる。それらは、インフレキシブルでありかつ識別器具１０上に取り付けられうる。代替的に、それらは、フレキシブルでありかつ識別器具１０に取り付けられるかまたはその上にプリントされうる。電子、光電子構成要素は、印刷されるかさもなければ構造体２０上に成長させられる。
【００３７】
識別器具１０は、識別器具１０の回路が、例えば、商品の盗難を示すために任意の電子商品監視（ＥＡＳ）機能を実行する商品に取り付けられうる。ＥＡＳ機能は、識別コードを送信しないが、リーダーに識別器具１０がリーダーの近くにあるかどうかを検出させることができる。
【００３８】
識別器具１０は、（一つの実施形態で）使い捨てでありうるしまたは（別の実施形態で）再使用可能でありうるしまたは（第３の実施形態で）使い捨て部分及び再使用可能部分を有しうる。リストバンドのように、識別器具１０を使い捨てにしかつ非常に安価にすることが可能である。使い捨ての識別器具１０は、この開示で記述した機能のいずれかを組み込みうるし、留める手段(fastening means)は、再使用可能ではなくかつ識別器具１０の機能性は、その使用後に破壊される。識別器具１０は、使い捨て部分（例えば、構造体２０）及び再使用可能部分（例えば、通信回路３２）を有しうる。
【００３９】
また、識別器具１０は、耐水、防水、及び/またはその応用分野で用いられる一定の溶剤または化学薬品に強いように作られうる。
【００４０】
識別器具１０は、改竄防止または改竄表示に作られうる。例えば、着用者に留めることによる識別器具１０のエリアの導電性接着アタッチメントは、識別器具１０が着用者または物体に取り付けられたということを回路に知らせる識別器具１０内のプリント導電性パターンを起動しうる。識別器具１０のエリアの導電性接着アタッチメントが破壊された場合には、プリント導電性パターンは、回路が改竄を検出することができるように破壊を検出するであろう。回路への識別器具１０における導電性パターンの電気的結合の構成及びモードは、識別器具１０全体が使い捨ての装置か、再使用可能なトランスポンダー（応答器）に取り付けられた使い捨ての装置か、または再使用可能な装置かにより変化しうる。改竄が検出されたときには、回路は、識別器具１０を不能にしうるかまたは識別器具１０の機能を不能にしうる。更に、回路は、ディスプレイ、アラーム、ＬＥＤ、等を起動することによって、または例えば、無線送信によって改竄を人または別の装置に知らせることによって、改竄が発生したということを示しうる。更に、識別器具１０は、識別器具１０の改竄または取り外しがその機能を破壊するかまたはそのような改竄または取り外しの証拠を提供するように物理的に確実に留められうる。固定は、識別器具１０の使用寿命に対して永久でありうるか、または一時的でありうる（例えば、許可された手順によって働かないように（無効に）できる）。一時的な固定の場合には、識別器具１０は、許可されたエージェンシーまたは人によって再使用及び再固定されうる。
【００４１】
識別器具１０は、回路への直接的なデータまたはパスワード・エントリ用のフレキシブル・キーボードを含みうる。キーボードは、記号データまたは英数字データに基づきうる。
【００４２】
識別器具１０は、音声入力または出力用の音声トランスデューサを有しうる。また、識別器具１０は、音声認識または出力合成音声を処理すべく既知のアルゴリズムを有しうる。更に、識別器具１０は、ユーザにリモート装置と双方向通信させうるかまたはユーザの音声から（ユーザ独自の識別音声パターンのような）バイオメトリック・データを導き出すべく回路またはアルゴリズムを有しうる。
【００４３】
例えば、係るバイオメトリック・データは、着用者の指紋、網膜、アイリス、または顔のあらゆるイメージまたはそれに関するデータ、または着用者の音声の時間ドメインまたは周波数ドメイン応答、または着用者のにおい（香り）、血液、または息（呼吸、息づかい）の生物化学的分析評価を含みうる。換言すると、バイオメトリック・データは、人のシグネチャ、シグネチャ＋手書きダイナミックス、アイリス、網膜、顔認識、音紋、音紋及び声強勢、指紋、その他のスキン・パターン、化学的シグネチャ（例えば、におい、血液、汗）、ＤＮＡシグネチャ、または電気的、磁気的、音響的、またはその他のバイオメトリック特性に関連付けられうる。代替的に、バイオメトリック・センサは、識別以外の目的で着用者に関するデータを提供しうる。例えば、バイオメトリック・センサは、着用者のパルス・レート、心臓電気信号、血圧、インシュリン・レベル、等を監視または検出すべく識別器具に組み込まれうるし、係るバイオメトリック・データは、絶えず、断続的に、または警戒状態により（病院の監視用コンピュータのような）他の装置に送信されうる。
【００４４】
識別器具１０は、それが関連付けられた着用者または物体に関する情報を提供しうる。この情報は、手書きまたは印刷された視覚情報でありうる。例えば、識別器具１０は、情報を包含すべくラベルまたは印刷可能面を有しうる。手書きまたは印刷された情報は、人間、動物、または機械によって認知可能であるデータを含みうる。例えば、データは、英数字データ、（バーコードのような）光特性認識可能データ、画像、写真、磁気的に読取り可能なデータ、及び/または指紋、網膜のようなバイオメトリック・データまたは音声データでありうる。
【００４５】
上述した明細書において、本発明は、その特定の実施形態を参照して記述された。しかしながら、本発明のより広い精神及び適用範囲から逸脱することなく様々な変更及び変形がそれに対してなされうるということは、明らかであろう。例えば、読者は、ここに記述した処理フロー図に示した処理動作の特定の順番及び組合せが単に説明のためであり、かつ本発明は、異なるまたは更なる処理動作、または処理動作の異なる組合せまたは順番を用いて実行することができるということを理解するであろう。別の例として、一実施形態の各特長は、その他の実施形態で示されたその他の特徴と混ぜ合わせかつマッチさせることができる。識別器具の技術分野における当業者に知られた特徴及び処理は、望ましいように同様に採り入れられうる。更に、そして明らかに、特徴は、望ましいように追加され或いは除かれうる。従って、本発明は、添付した特許請求の範囲及びそれの同等物に関する以外では限定されるものではない。
【図面の簡単な説明】
【００４６】
【図１】図１は、マイクロストリップ・アンテナを有する改良型識別器具の例示的実施形態を示すハイ・レベル・ブロック図である。
【図２】図２は、誘電体材に取り付けられる、ＲＦＩＤ回路に対するもののような、通信回路構成要素を包含している識別バンドの例示的実施形態を示す図である。
【図３】図３は、例えば、ＲＦＩＤチップでありうる、通信回路を有するマイクロストリップ・アンテナの別の例示的実施形態を示す概略図である。
【図４】図４は、例えば、ＲＦＩＤチップでありうる、通信回路を有するマイクロストリップ・アンテナの更に別の例示的実施形態の概略図である。
【図５】図５は、例えば、ＲＦＩＤチップでありうる、通信回路を有するマイクロストリップ・アンテナの更に別の例示的実施形態の概略図である。
【図６】図６は、例えば、ＲＦＩＤチップでありうる、通信回路を有するマイクロストリップ・アンテナの更に別の例示的実施形態の概略図である。
【図７】図７は、二重識別バンドの例示的実施形態を示す図である。
【図８】識別器具の固定部分に組み込まれたマイクロストリップ・アンテナの例示的実施形態を示す図である。
【図１】
2005519557.tif 000003
【図２】
2005519557.tif 000004
【図３】
2005519557.tif 000005
【図４】
2005519557.tif 000006
【図５】
2005519557.tif 000007
【図６】
2005519557.tif 000008
【図５】
2005519557.tif 000009
【図６】
2005519557.tif 000010
【図７】
2005519557.tif 000011
【図８】
2005519557.tif 000012
【国際調査報告】
2005519557.tif 000013